(57)【特許請求の範囲】
【請求項１】
噴口を有する押釦と、一端で当該噴口と接続し、他端でロングノズルと接続する接続部材と、一端で当該接続部材と接続し、他端で噴口部材と接続する当該ロングノズルと、当該噴口部材と、を備えるアリの巣孔用ロングノズル付エアゾル噴霧器であって、
噴霧器本体自身又は当該噴霧器本体の上部に設けられた保護キャップに、非使用時に前記ロングノズルを係止するための係止部が設けられており、
前記接続部材が、伸縮性または可撓性を有するエアゾル導管を含んでおり、且つ
前記噴口部材が、前記ロングノズルの断面外形よりも大きい断面を有するとともに、
前記噴口部材の下端と周囲とに前記ロングノズルの径より小さい径の噴口が複数個設けられていることを特徴とするアリの巣孔用ロングノズル付エアゾル噴霧器。
【請求項２】
前記のロングノズルは、保護キャップに係止しうる摘み部に、その中心から外れたところに取り付けられていて、摘み部を保護キャップに係止したときにロングノズルが噴霧器外周に沿って係止されることを特徴とする請求項１記載のロングノズル付エアゾル噴霧器。
【請求項３】
前記噴口は中心に１個、その周囲に等間隔で３個設けられていることを特徴とする請求項１又は２記載のロングノズル付エアゾル噴霧器。
【発明の詳細な説明】
【０００１】
【発明の属する技術分野】
この発明は殺虫剤等の組成物を噴霧するロングノズル付エアゾル噴霧器に関し、特にアリ等の巣の中へ噴霧することに適したロングノズル付噴霧器を得たものである。
【０００２】
【従来の技術】
従来噴霧器のロングノズルには、スプリング状のもの、折りたためるもの、伸縮自在なものなど種々のタイプが知られていた。またアリ用の噴霧器も種々知られており、これらはアリに直接噴霧する場合と、アリ等の巣の中へ薬剤を注入できるようにロングノズルを付けたものがあり、これらを併用するため、ロングノズルを着脱自在としたり、また折りたたんで噴口を使いわける方式を採用していた。
【０００３】
また従来公知のキクイムシ（カミキリムシなどの庭木、果樹に孔をあける害虫の総称）用の噴霧器を第１０図に示せば、エアゾル缶２０に細管２１を連結し、その先端に円錐形の注入子２２が取り付けられている。円錐の頂点２３に噴口があけられている。（実開昭５６−９７９７５号参照）
さらに畳処理用の噴射装置の一例を図１１以下に示す。（実公昭６３−３６３号参照）図１１は斜視図、図１２は側断面図、図１３は使用のため噴射針の部分を取り出してのばしたところを示す図であって、１はエアゾル噴射器、２は押ボタン、３は弁杆、４は保護キャップ、５は接続部材、６は噴射針を夫々示している。針６はホルダー兼つまみ６ｃに取り付けられ、切目６ｂ′を有する保護筒６ｂで囲まれている。図１４は針とつまみの部分の断面図、図１５は針を畳につき刺した状態の説明図であって、保護筒を畳に当ててつまみ６ｃを押し込むと、保護筒６ｂは切目６ｂ′のところでつぶれて図１５に示すように針６は畳ａにつき刺さるようになっている。６ａは針の噴口である。
【０００４】
７は保護キャップ４に設けられた針収納部であって、図１１、図１２に示したように針６をキャップ４に収納しているときには、つまみ６ｃの孔６ｃ′、６ｃ′に突起７ｃ、７ｃが挿入されており、保護筒６ｂは針６とともに孔７ｂの中に入りこんでいる。
図１６は接続部材５の取付部の拡大断面図であって、５ａはキャップ４から突出する固定筒、５ｂは回動部、５ｃは可撓性導管、５ｄは枢支連結部であって、この部分が切換バルブの作用を行う。枢支連結部５ｄ内には互にはなれて直交する二本の通路５ｂ1 、５ｂ′とがあり、図１６の状態では通路５ｂ2 が通路５ａ′に通じていて、キャップ４の開口４ａ内にある押ボタン２を押すと液は通路５ａ′から通路５ｂ2 に入り、正面の噴口５ｂ、から水平に噴射される。図１３のように枢支連結部５ｄを回動させると、通路５ａ′は通路５ｂ′と通じ、液は可撓性導管５ｃを経て針６の方に導かれる。
【０００５】
【発明が解決しようとする課題】
従来のロングノズル付き噴霧器では、隙間に差し込んで使用する場合には利点があったが、アリ等の巣など平面に対し垂直につき刺す場合には、噴霧器を平面に対し平行にしなければならず、この場合通常の噴霧器では噴射不可能となる。そのため噴霧器下部をある程度下方に下げた状態で噴霧しなければならず、完全にロングノズルを垂直に挿入ないしつき刺すことはできなかった。したがって薬剤の注入時に薬剤が周囲に接触して効率が悪かった。また正倒立噴射可能な噴霧器もあるが、これも平行にして使用する場合には噴霧性能が悪くなり充分な噴射が不可能であった。
【０００６】
【課題を解決するための手段】
この発明においては、前記の課題を解決するために、噴口を有する押釦と、一端で当該噴口と接続し、他端でロングノズルと接続する接続部材と、一端で当該接続部材と接続し、他端で噴口部材と接続する当該ロングノズルと、当該噴口部材と、を備えるアリの巣孔用ロングノズル付エアゾル噴霧器であって、噴霧器本体自身又は当該噴霧器本体の上部に設けられた保護キャップに、非使用時に前記ロングノズルを係止するための係止部が設けられており、前記接続部材が、伸縮性または可撓性を有するエアゾル導管を含んでおり、且つ前記噴口部材が、前記ロングノズルの断面外形よりも大きい断面を有するとともに、前記噴口部材の下端と周囲とに前記ロングノズルの径より小さい径の噴口が複数個設けられていることを特徴とするアリの巣孔用ロングノズル付エアゾル噴霧器を得たものである。
【０００７】
【作用】
この発明のエアゾル噴霧器はロングノズルと係止部との間に充分な長さを有していて、かつ伸縮自在あるいは変形自在である導管が具備されていて、そのためエアゾル缶が正立していても、ロングノズルを巣孔に略、垂直に使用することができる。
【０００８】
このような導管が具備されることがこの発明の要点であるから、導管は充分な長さと所要の伸縮性又は可撓性を有すればよく、具体的な構造については何らの制約はなく任意の構造でよいものである。
【０００９】
【実施例】
図１はこの発明の噴霧器１０の正面図、図２は図をＦ方向からみた平面図、図３は図１をＲ方向からみた側面図であって、エアゾル噴霧器１０はエアゾル缶２０の上部に保護キャップ３０が取り付けられている。キャップ３０の正面に第１噴口４１を含む回転接続部４０が取り付けられている。そして回転接続部４０とロングノズル４２の間は可撓導管４６で連絡されている。後記するようにロングノズル４２は摘み部５０に取り付けられていて、可撓導管４６も摘み部５０に接続されている。
【００１０】
キャップ３０の上部には押釦３１が設けられ、又摘み部５０は非使用時には図に示すようにキャップ３０に係止されている。ロングノズル４２の先端には噴口を有する噴口部材４３が取り付けられている。
可撓導管４６は図示の如く伸縮自在に構成されていて、摘み部５０とロングノズル４２とを自在に噴霧器から離れてロングノズル４２を所望の方向に向けることができるように構成されている。
【００１１】
図４は摘み部５０とともにロングノズル４２の部分のみを取り出して示した図、図５は図４をＦ方向からみた平面図、図６は図４をＲ方向からみた底面図、図７は噴口部材４３のみを示した図、図８は図７をＲ方向からみた底面図であって、図に示されるように、ロングノズル４２は摘み部５０の中心から外れて取り付けられている。ロングノズルの先端の噴口部材４３の下端面には噴口となる中心の孔４５ならびにその周囲に等間隔に３個の孔４４、…があけられている。これらの孔４４、４５はロングノズルの口径より小さい径を有している。
【００１２】
図９は摘み部５０をキャップ３０から外し回動接続部４０を水平になるように回動させたところを示す図である。３２は摘み部５０を係止するための凹部であって、係止用ピン３３が立設されている。図１などに示すように、キャップ３０に摘み部５０が係止されているときは、この係止ピン３３は図６に示す摘み部底面の孔５１に挿入され、摘み部５０を係止する。前述のように、ロングノズル４２は摘み部５０の中心を外れて取り付けられているので、摘み部５０をキャップ３０に係止したとき、ロングノズル４２は図１などに示されるように噴霧器の外周に沿って係止される。
【００１３】
第１噴口４１を含む回転接続部４０の構成は図１６に示す切換バルブの作用を行う枢支連結部と同じ構造であって、図１の状態で押釦３１を押して噴射を行えば薬液は第１噴口４１から水平に噴射される。
次に図９に示すように回転連結部を水平にまで回動すれば薬液は可撓連結管４６に入り、ロングノズル４２に至り、噴口部材４３の噴口４４、４５かつ噴射される。噴口は中心噴口４５及びその周囲の複数の噴口４４からなっているので、噴射された内容液が細かい粒子の霧となり、それらが互いに衝突して拡散性が良くなる。可撓導管４６を長くのばせば噴霧器を立てたままで先端のロングノズルをどの方向にも向けることができ、特に真上、真下の方向への噴霧が容易となるため、アリ等の巣などの細長い穴に挿入して噴射する場合に適している。
【００１４】
図示の如く、この発明の実施例としてロングノズルと係止部の間の導管はつるまき状部を有する可撓導管４６として示されているが、前述のようにこの発明の要点はエアゾル缶が正立していても、ロングノズルがアリ等の巣孔に略、垂直に使用できる点にあるのであるから、導管は充分な長さと、所要の伸縮性又は変形性を有していればよく、導管の具体的な構成は実施例に限定されることなく、任意の形態をとることが可能である。
【００１５】
【発明の効果】
この発明は前記のような構成であって、噴霧器を立てたまま先端のロングノズルをどの方向に向けることも容易となり、特に真上、真下の方向への噴霧が容易となるため、アリ等の巣等の細長い穴に挿入して噴射する場合に適している。また摘み部付きのロングノズルとすれば噴射時使いやすく、非使用時には、ロングノズルを適宜係止できるので、運搬、保管が容易となる。さらに複数の小さな噴口より薬液が噴射されるので、拡散性がよく、アリの巣等の狭く複雑な空間を処理する場合に適している。
【図面の簡単な説明】
【図１】この発明の噴霧器の正面図。
【図２】図１をＦ方向からみた平面図。
【図３】図１をＲ方向からみた側面図。
【図４】ロングノズル部分を示す図。
【図５】図４をＦ方向からみた平面図。
【図６】図４をＲ方向からみた底面図。
【図７】噴口部材を示す図。
【図８】図７をＲ方向からみた底面図。
【図９】ロングノズルを取り出した状態を示す図。
【図１０】従来の噴霧器の一例を示す図。
【図１１】従来の噴霧器の他の例を示す図。
【図１２】図１１に示す構造の側断面図。
【図１３】図１１に示す噴霧器の使用例を示す図。
【図１４】噴射針とつまみの部分の断面図。
【図１５】噴射針を畳に刺した状態の説明図。
【図１６】枢支連結部の構成を示す断面図。
【符号の説明】
１０  噴霧器
２０  エアゾル缶
３０  キャップ
３１  押釦
３２  係止用凹部
３３  係止ピン
４０  回転接続部
４１  第１噴口
４２  ロングノズル
４３  噴口部材
４４  噴口
４５  噴口
４６  可撓導管
５０  摘み部
５１  孔
【図１】
0003925881.tif 000002
【図２】
0003925881.tif 000003
【図３】
0003925881.tif 000004
【図４】
0003925881.tif 000005
【図５】
0003925881.tif 000006
【図６】
0003925881.tif 000007
【図７】
0003925881.tif 000008
【図８】
0003925881.tif 000009
【図９】
0003925881.tif 000010
【図１０】
0003925881.tif 000011
【図１１】
0003925881.tif 000012
【図１２】
0003925881.tif 000013
【図１３】
0003925881.tif 000014
【図１４】
0003925881.tif 000015
【図１５】
0003925881.tif 000016
【図１６】
0003925881.tif 000017